(57)【特許請求の範囲】
【請求項１】
被加熱物が載置される天板と、
前記天板の下方に設けられ、前記被加熱物を加熱する誘導加熱コイルと、
前記誘導加熱コイルの下方に設けられ、前記誘導加熱コイルとの間に前記誘導加熱コイルを冷却する冷却風が流通する冷却風路を形成する風路形成部材と、
前記誘導加熱コイルの下方に前記風路形成部材の一部として設けられ、前記誘導加熱コイルから漏洩する磁束を遮蔽する防磁部材と、を備え、
前記風路形成部材は、防磁開口部を有し、
前記防磁部材は、
前記防磁開口部に設けられ、下面が前記防磁開口部から露出している
誘導加熱調理器。
【請求項２】
前記防磁部材は、
前記風路形成部材に着脱自在に設けられている
請求項１記載の誘導加熱調理器。
【請求項３】
前記風路形成部材の下方に設けられると共に、前記誘導加熱コイルに電源を供給する電源回路が載置され、前記風路形成部材との間に、前記電源回路を冷却する冷却風が流通する電源風路を形成する載置部
を更に備える請求項１又は２記載の誘導加熱調理器。
【請求項４】
前記風路形成部材は、
前記冷却風路と前記電源風路とを、冷却風が前記電源風路から前記冷却風路に流れるように接続するダクト開口部
を有する請求項３記載の誘導加熱調理器。
【請求項５】
前記被加熱物を加熱する加熱部を更に備え、
前記加熱部は、
前記電源風路に流通する冷却風を導入する導入風路の上方に設けられ、前記導入風路に流通する冷却風に冷却されるものである
請求項３又は４記載の誘導加熱調理器。
【請求項６】
前記電源風路を、前記載置部側の第１の風路と前記風路形成部材側の第２の風路とに区画する区画部
を更に備える請求項３〜５のいずれか１項に記載の誘導加熱調理器。
【請求項７】
前記区画部は、
前記第１の風路と前記第２の風路とを接続する合流部
を有する請求項６記載の誘導加熱調理器。
【請求項８】
前記防磁部材は、
前記電源風路に流通する冷却風を前記誘導加熱コイルに導く導入路となる防磁孔
を有する請求項３〜７のいずれか１項に記載の誘導加熱調理器。
【請求項９】
前記防磁部材は、
下方に凹み、部品を収納する凹部
を有する請求項１〜８のいずれか１項に記載の誘導加熱調理器。
【請求項１０】
前記防磁部材は、
下面から突出しつつ上面から凹み、部品を収納する凹部を有し、
前記凹部は、前記防磁開口部に嵌められ、前記防磁開口部を塞ぐものである
請求項１〜９のいずれか１項に記載の誘導加熱調理器。
【請求項１１】
前記防磁部材は、
前記冷却風路に流通する冷却風を前記誘導加熱コイルに導くように傾斜した風向部
を有する請求項１〜１０のいずれか１項に記載の誘導加熱調理器。
【発明の詳細な説明】
【技術分野】
【０００１】
本発明は、防磁部材を備える誘導加熱調理器に関する。
【背景技術】
【０００２】
加熱コイルから漏洩する磁束を遮蔽する防磁部材を備える誘導加熱調理器として、防磁部材が、調理器本体の底部との間に冷却風路を形成する誘導加熱調理器が知られている（例えば、特許文献１参照）。特許文献１は、トッププレート（天板）と防磁板（防磁部材）との間に断熱材、加熱コイル（加熱部）及びフェライトが設けられており、防磁板と調理器本体の底部との間に形成された冷却風路に、赤外線センサ、発熱部品及び制御回路が設けられている。このように、特許文献１は、防磁板が、磁束を遮蔽する機能だけでなく、冷却風路を形成するための風路形成部材の機能も兼ねている。
【先行技術文献】
【特許文献】
【０００３】
【特許文献１】特許第５４１７８５５号公報（請求項１、図１）
【発明の概要】
【発明が解決しようとする課題】
【０００４】
誘導加熱調理器は、加熱部等の仕様変更に伴って、防磁部材の防磁効果を適切に得ようとすると、加熱部だけでなく、防磁部材も変更する必要がある。しかしながら、特許文献１では、防磁部材自体が風路形成部材であるため、防磁部材を変更しようとすると、大規模な設計変更を伴う。従って、コストがかさむ。
【０００５】
本発明は、上記のような課題を背景としてなされたもので、誘導加熱コイル等の仕様が変更されて、防磁部材が変更されても、それに伴うコストを低減することができる誘導加熱調理器を提供するものである。
【課題を解決するための手段】
【０００６】
本発明に係る誘導加熱調理器は、被加熱物が載置される天板と、天板の下方に設けられ、被加熱物を加熱する誘導加熱コイルと、誘導加熱コイルの下方に設けられ、誘導加熱コイルとの間に誘導加熱コイルを冷却する冷却風が流通する冷却風路を形成する風路形成部材と、誘導加熱コイルの下方に風路形成部材の一部として設けられ、誘導加熱コイルから漏洩する磁束を遮蔽する防磁部材と、を備え、風路形成部材は、防磁開口部を有し、防磁部材は、防磁開口部に設けられ、下面が防磁開口部から露出している。
【発明の効果】
【０００７】
本発明によれば、防磁部材が風路形成部材の一部として設けられているため、防磁部材が変更されても、それに伴うコストを低減することができる。
【図面の簡単な説明】
【０００８】
【図１】本発明の実施の形態１に係る誘導加熱調理器１を示す斜視図である。
【図２】本発明の実施の形態１に係る誘導加熱調理器１を示す側面断面図である。
【図３】本発明の実施の形態１に係る誘導加熱調理器１を示す側面断面図である。
【図４】本発明の実施の形態１における風路形成部材１４及び防磁部材３０を示す斜視図である。
【図５】本発明の実施の形態１における風路形成部材１４及び防磁部材３０を示す斜視図である。
【図６】本発明の実施の形態２における風路形成部材１４及び防磁部材１３０を示す斜視図である。
【発明を実施するための形態】
【０００９】
以下、本発明に係る誘導加熱調理器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１０】
実施の形態１．
図１は、本発明の実施の形態１に係る誘導加熱調理器１を示す斜視図である。この図１に基づいて、誘導加熱調理器１について説明する。図１に示すように、誘導加熱調理器１は、調理器本体２と、調理器本体２の上面に設けられ被加熱物が載置される天板３とを備えている。天板３において、手前側（矢印Ｙ１方向）には表示部４が設けられており、表示部４は、調理状態等を表示するものである。また、天板３において、奥側（矢印Ｙ２方向）には、吸排気口を覆う吸排気口カバー５が設置されている。
【００１１】
また、調理器本体２において、天板３の下方（矢印Ｚ１方向）には、被加熱物を加熱する誘導加熱コイル７ａと、それ以外の加熱部７ｂとが設置されている。誘導加熱コイル７ａは、調理器本体２の幅方向（矢印Ｘ方向）における一方の側に設けられており、加熱部７ｂは、調理器本体２の幅方向（矢印Ｘ方向）における他方の側に設けられている。この加熱部７ｂは、誘導加熱コイル７ａよりも火力が大きい。また、加熱部７ｂも、誘導加熱コイルとすることができる。
【００１２】
なお、誘導加熱コイル７ａの下方（矢印Ｚ１方向）には、電源回路等を収納する収納部８が設けられている。また、加熱部７ｂの下方（矢印Ｚ１方向）には、加熱部７ｂを冷却する冷却風が流通する大型冷却風路４３を形成する大型風路形成部材１１が設けられている。そして、この大型風路形成部材１１の下方には、グリル皿（図示せず）が載置されたグリル室９が設けられている。
【００１３】
調理器本体２の前面には、調理器本体２の幅方向（矢印Ｘ方向）における一方の側に、操作パネル６が設けられている。即ち、操作パネル６は、収納部８の手前側（矢印Ｙ１方向）に位置している。この操作パネル６が操作されることにより、誘導加熱コイル７ａの火力が調整される。また、調理器本体２の前面には、調理器本体２の幅方向（矢印Ｘ方向）における他方の側に、グリル取っ手９ｂが設けられている。グリル取っ手９ｂは、グリル皿に取り付けられており、グリル取っ手９ｂが引かれることにより、グリル室９からグリル皿が引き出される。
【００１４】
図２は、本発明の実施の形態１に係る誘導加熱調理器１を示す側面断面図であり、図１のＡ−Ａ断面図である。図２に示すように、誘導加熱コイル７ａと収納部８との間には、フェライト１０が設けられている。フェライト１０は、誘導加熱コイル７ａから漏洩する磁束を集めて防磁するものであり、これにより、収納部８に収納された電源回路等が磁化することが抑制される。
【００１５】
図３は、本発明の実施の形態１に係る誘導加熱調理器１を示す側面断面図であり、図２の模式図である。図３に示すように、収納部８は、後部に吸気口１２が設けられており、この吸気口１２から空気が吸い込まれる。また、吸気口１２の近傍には、冷却ファン１３が設けられており、吸気口１２から吸い込まれた空気が、冷却ファン１３によって、収納部８の内部に送風される。
【００１６】
収納部８は、板状の風路形成部材１４及び板状の防磁部材３０と、板状の載置部１５とによって囲まれた空間である。風路形成部材１４は、誘導加熱コイル７ａの下方（矢印Ｚ１方向）に設けられ、誘導加熱コイル７ａとの間に誘導加熱コイル７ａを冷却する冷却風が流通する冷却風路４１を形成するものであり、例えば樹脂からなる。本実施の形態１では、誘導加熱コイル７ａと風路形成部材１４との間に、冷却風路４１が形成されている。
【００１７】
また、載置部１５は、風路形成部材１４の下方（矢印Ｚ１方向）に設けられると共に、風路形成部材１４との間に、電源回路１７等を冷却する冷却風が流通する電源風路４２を形成するものである。この電源風路４２には、冷却ファン１３から送風された空気が流入する。なお、風路形成部材１４における調理器本体２の手前側（矢印Ｙ１方向）には、冷却風路４１と電源風路４２とを、冷却風が電源風路４２から冷却風路４１に流れるように接続するダクト開口部１４ａが設けられている。これにより、冷却ファン１３から送風された空気は、電源風路４２に流通し、その後、冷却風路４１に流入して、調理器本体２の後部に向かって流れていく。また、風路形成部材１４は、防磁開口部１４ｂを有しており、この防磁開口部１４ｂに防磁部材３０が設けられている。
【００１８】
載置部１５には、誘導加熱コイル７ａに電源を供給する電源回路１７及び電源回路１７から発生する熱を放散するヒートシンク１８等が載置されている。載置部１５に載置された電源回路１７及びヒートシンク１８等は、電源風路４２に流通する冷却風によって、冷却される。また、収納部８には、板状の区画部１６が設けられており、この区画部１６によって、電源風路４２が、載置部１５側の第１の風路４２ａと風路形成部材１４側の第２の風路４２ｂとに区画されている。載置部１５に載置された電源回路１７及びヒートシンク１８等は、電源風路４２のうち第１の風路４２ａに流通する冷却風によって、冷却される。
【００１９】
なお、区画部１６における調理器本体２の手前側（矢印Ｙ１方向）には、第１の風路４２ａと第２の風路４２ｂとを接続する合流部１６ａが設けられている。更に、収納部８は、調理器本体２の手前側（矢印Ｙ１方向）において、風路形成部材１４と区画部１６とを接続する板状の蓋部１６ｂを有しており、この蓋部１６ｂによって、第２の風路４２ｂと第１の風路４２ａとの接続が遮断されている。従って、第１の風路４２ａに流通する冷却風は、第２の風路４２ｂには流通せず、冷却風路４１にのみ流通する。即ち、第１の風路４２ａに流通する冷却風は、電源回路１７及びヒートシンク１８等を冷却した後、冷却風路４１に流入し、誘導加熱コイル７ａを冷却する。
【００２０】
区画部１６には、加熱部７ｂに電源を供給する小型電源回路１９及び小型電源回路１９から発生する熱を放散する小型ヒートシンク２０等が載置されている。即ち、区画部１６に載置された小型電源回路１９及び小型ヒートシンク２０等は、電源風路４２のうち第２の風路４２ｂに流通する冷却風によって、冷却される。
【００２１】
更に、第２の風路４２ｂに流通する冷却風を冷却風路４１に導入する導入風路４４が、第２の風路４２ｂから調理器本体２の幅方向（矢印Ｘ方向）に延びている。この導入風路４４の上方（矢印Ｚ２方向）には、加熱部７ｂが設けられており、これにより、第２の風路４２ｂに流通する冷却風は、小型電源回路１９及び小型ヒートシンク２０等を冷却した後、導入風路４４に流入し、加熱部７ｂを冷却する。
【００２２】
防磁部材３０は、誘導加熱コイル７ａの下方（矢印Ｚ１方向）に風路形成部材１４の一部として設けられ、フェライト１０と共に、誘導加熱コイル７ａから漏洩する磁束を遮蔽するものである。このように、誘導加熱コイル７ａの下方（矢印Ｚ１方向）に風路形成部材１４の一部として設けられているため、防磁部材３０の上面は、冷却風路４１に露出している。また、防磁部材３０は、風路形成部材１４に着脱自在に設けられている。
【００２３】
図４は、本発明の実施の形態１における風路形成部材１４及び防磁部材３０を示す斜視図である。図５は、本発明の実施の形態１における風路形成部材１４及び防磁部材３０を示す斜視図であり、図４における風路形成部材１４及び防磁部材３０を裏面からみた図である。図４、図５に示すように、防磁部材３０は、板状をなしており、中央部には下面から突出しつつ上面から下方に凹んだ凹部３１が形成されている。凹部３１は、天板３又は誘導加熱コイル７ａ等に付属された部品を収納する機能を有しており、例えば、誘導加熱コイル７ａに赤外線センサ等が取り付けられた場合、凹部３１に赤外線センサ等を収納すれば、赤外線センサ等が防磁部材３０に干渉することを防止することができる。
【００２４】
凹部３１は、風路形成部材１４の防磁開口部１４ｂの形状に沿って形成されており、風路形成部材１４の防磁開口部１４ｂに嵌められ、防磁開口部１４ｂを塞ぐ機能も有している。これにより、凹部３１の下面は、防磁開口部１４ｂから第２の風路４２ｂに露出し、従って、防磁部材３０の下面は、防磁開口部１４ｂから第２の風路４２ｂに露出している。
【００２５】
また、防磁部材３０は、調理器本体２の手前側（矢印Ｙ１方向）に、調理器本体２の奥行方向（矢印Ｙ方向）に向かって高くなるように傾斜した風向部３２を有している。この風向部３２は、冷却風路４１に流通する冷却風を、誘導加熱コイル７ａに導くものである。
【００２６】
次に、本実施の形態１に係る誘導加熱調理器１の作用について説明する。誘導加熱調理器１は、風路形成部材１４の一部として防磁部材３０を有しており、更に、防磁部材３０は、風路形成部材１４に着脱自在に設けられている。このため、誘導加熱コイル７ａ等の仕様の変更に伴って、防磁部材３０の防磁効果を適切に得ようとする場合、風路形成部材１４を交換せずに、防磁部材３０だけ交換することができる。このように、防磁部材３０が変更されても、風路形成部材１４等はそのままであるため、防磁部材３０の交換に伴うコストを低減することができる。従って、コストをかけずに誘導加熱コイル７ａ等の仕様の変更に対応することができる。
【００２７】
防磁部材３０は、磁束を遮蔽することによって発熱するが、防磁部材３０の上面は、冷却風路４１に露出しているため、冷却風路４１に流通する冷却風によって、防磁部材３０の上面を冷却し、発熱を抑制することができる。また、誘導加熱コイル７ａも、冷却風路４１に露出しているため、冷却風路４１に流通する冷却風によって、誘導加熱コイル７ａも冷却することができる。このように、本実施の形態１は、冷却風路４１に流通する冷却風によって、誘導加熱コイル７ａ及び防磁部材３０を同時に冷却することができる。
【００２８】
更に、防磁部材３０の下面は、防磁開口部１４ｂから第２の風路４２ｂに露出しているため、防磁部材３０の上面だけではなく、第２の風路４２ｂに流通する冷却風によって、防磁部材３０の下面も冷却することができる。このように、本実施の形態１は、防磁部材３０の上面及び下面の両面を冷却することができるため、防磁部材３０の冷却効果が向上する。
【００２９】
更にまた、防磁部材３０は、風向部３２を有しているため、冷却風路４１に流通する冷却風を、効率的に誘導加熱コイル７ａに当てることができる。また、風路形成部材１４は、防磁開口部１４ｂを有しているため、その分、樹脂等の材料を削減することができ、これにより、風路形成部材１４の製造コストを削減することができる。
【００３０】
第１の風路４２ａに流通する冷却風は、電源回路１７及びヒートシンク１８等を冷却した後、冷却風路４１に流入し、誘導加熱コイル７ａを冷却する。また、第２の風路４２ｂに流通する冷却風は、小型電源回路１９及び小型ヒートシンク２０等を冷却した後、導入風路４４に流入し、加熱部７ｂを冷却する。本実施の形態１において、載置部１５に載置された電源回路１７は、区画部１６に載置された小型電源回路１９よりも発生する熱が多い。このため、電源回路１７を冷却した第１の風路４２ａに流通する冷却風は、小型電源回路１９を冷却した第２の風路４２ｂに流通する冷却風よりも、温まり易く、その後の冷却性能は若干低下する。
【００３１】
この冷却性能が若干低下した第１の風路４２ａに流通する冷却風は、その後、冷却風路４１に流入して、誘導加熱コイル７ａを冷却するが、この誘導加熱コイル７ａは、加熱部７ｂよりも火力が小さい。一方、冷却性能が維持された第２の風路４２ｂに流通する冷却風は、その後、導入風路４４に流入して、加熱部７ｂを冷却するが、この加熱部７ｂは、誘導加熱コイル７ａよりも火力が大きい。
【００３２】
このように、冷却性能が若干低下した第１の風路４２ａに流通する冷却風が冷却する誘導加熱コイル７ａは、火力が小さいため、冷却効果は十分に発揮される。更に、第２の風路４２ｂに流通する冷却風は、冷却性能が維持されているため、火力が大きい加熱部７ｂを、十分に冷却することができる。以上より、本実施の形態１は、誘導加熱コイル７ａ及び加熱部７ｂのいずれをも、効率的に冷却することができるという効果を奏する。
【００３３】
なお、第１の風路４２ａに流通する冷却風が導入風路４４に流入し、加熱部７ｂを冷却し、また、第２の風路４２ｂに流通する冷却風が冷却風路４１に流入し、誘導加熱コイル７ａを冷却するように構成してもよい。
【００３４】
実施の形態２．
次に、実施の形態２に係る誘導加熱調理器１００について説明する。図６は、本発明の実施の形態２における風路形成部材１４及び防磁部材１３０を示す斜視図である。本実施の形態２は、防磁部材１３０が防磁孔１３３を有している点で、実施の形態１と相違する。本実施の形態２では、実施の形態１と共通する部分は同一の符号を付して説明を省略し、実施の形態１との相違点を中心に説明する。
【００３５】
図６に示すように、防磁部材１３０は、複数の防磁孔１３３を有している。防磁孔１３３は、防磁部材１３０の下面を冷却する電源風路４２に流通する冷却風を、防磁部材１３０の上方に位置する誘導加熱コイル７ａに導く導入路となるものである。この防磁孔１３３により、電源風路４２に流通する冷却風が、誘導加熱コイル７ａの下面に集中して当たる。従って、冷却風路４１に流通する冷却風と電源風路４２に流通する冷却風との両方によって、誘導加熱コイル７ａを効率的に冷却することができる。
【符号の説明】
【００３６】
１  誘導加熱調理器、２  調理器本体、３  天板、４  表示部、５  吸排気口カバー、６  操作パネル、７ａ  誘導加熱コイル、７ｂ  加熱部、８  収納部、９  グリル室、９ｂ  グリル取っ手、１０  フェライト、１１  大型風路形成部材、１２  吸気口、１３  冷却ファン、１４  風路形成部材、１４ａ  ダクト開口部、１４ｂ  防磁開口部、１５  載置部、１６  区画部、１６ａ  合流部、１６ｂ  蓋部、１７  電源回路、１８  ヒートシンク、１９  小型電源回路、２０  小型ヒートシンク、３０  防磁部材、３１  凹部、３２  風向部、４１  冷却風路、４２  電源風路、４２ａ  第１の風路、４２ｂ  第２の風路、４３  大型冷却風路、４４  導入風路、１００  誘導加熱調理器、１３０  防磁部材、１３３  防磁孔。
【図１】
0006289295.tif 000002
【図２】
0006289295.tif 000003
【図３】
0006289295.tif 000004
【図４】
0006289295.tif 000005
【図５】
0006289295.tif 000006
【図６】
0006289295.tif 000007